(57)【要約】【課題】  収納物の出し入れが可能な状態で複数段に重ねて使用することができ、かつ搬送時などの不使用時には、コンパクトに積み上げることのできる収納トレイを提供する。【解決手段】  収納トレイ１０２は、前方及び上面が開放され、仕切り５により複数の収納空間に分けられている。上端に形成された溝に丸棒２５を入れ、別の収納トレイ１０２の底面の溝９を丸棒２５の上に置くことにより、複数の収納トレイ１０２を重ねて使用できる。側壁２，３，４は外方に傾斜しており、仕切り５は底部１が逆Ｖ字状に屈曲して形成されている。このため、搬送時など不使用時には、複数の収納トレイ１０２を凹凸が噛み合うようにコンパクトに重ねることができる。使用時に、丸棒２５に代えて、上面が逆Ｖ字状に突起し下面が逆Ｖ字状に切込まれたプラスチック製のスペーサ４０を、上下段の仕切り５の間に介在させることにより、複数の収納トレイ１０２を重ねることもできる。【選択図】      図１２
0003150224.tif 000002
【実用新案登録請求の範囲】
【請求項１】
収納トレイであって、
底部と、
前記底部の左右端及び後端につながり、外方に広がるように傾斜した側壁と、を備え、
左右の前記側壁の上端の複数の前後位置、並びに底部の下面の複数の前後位置に、略左端から略右端に延びる棒を受け入れ可能な溝が形成されており、
当該溝は、自身と同一に構成される別の収納トレイの前記下面の前記複数の前後位置のうちの２以上の位置の溝と、自身の前記上端の前記複数の前後位置のうちの２以上の位置の溝と、の間に２以上の棒を介することにより、前記別の収納トレイを自身の上方に重ねることを可能にする位置に形成されている収納トレイ。
【請求項２】
前記２以上の棒を介して前記別の収納トレイを自身の上方に重ねるときに、これら収納トレイ同士の前後の位置関係を２通り以上に選択し得るように、前記複数の前後位置の溝は、前記上端と前記底部の下面との少なくとも一方において、４以上の前後位置の溝である請求項１に記載の収納トレイ。
【請求項３】
前記底部が、前端付近において前方に至るほど上昇する傾斜面を有し、当該傾斜面の前方において、前方に至るほど下降する別の傾斜面を有する請求項１または２に記載の収納トレイ。
【請求項４】
前記底部は、左右方向に並ぶ３以上の収納空間を形成するように断面逆Ｖ字状に屈曲した２以上の仕切りを有する請求項１ないし３のいずれかに記載の収納トレイ。
【請求項５】
前記２以上の仕切りの上端が、前記左右の側壁の上端と略同一高さであり、前記左右の側壁に加えて前記２以上の仕切りをも含めた上端の複数の前後位置に、前記略左端から前記略右端に延びる前記棒を受け入れ可能な溝が形成されている請求項４に記載の収納トレイ。
【請求項６】
前記後方の側壁は、外方に突出し鍵形に屈曲する突起部を有する請求項１ないし５のいずれかに記載の収納トレイ。
【請求項７】
前記左右の側壁は、外方に突出し鍵形に屈曲する突起部を有する請求項１ないし６のいずれかに記載の収納トレイ。
【請求項８】
各々が請求項１ないし７のいずれかに記載の収納トレイである複数の収納トレイと、
前記上端と前記底部の下面とに形成された溝の何れにも完全には入り込まない径を有し、前記収納トレイの略左端から略右端に渡る長さを有する２以上の棒と、を備える収納器具。
【請求項９】
前記２以上の棒の各々は、前記収納トレイの前記底部の左右の幅に略等しい間隔をもって両端部付近に設けられた１対の鍔を有する請求項８に記載の収納器具。
【請求項１０】
各々が請求項６又は７の一方に記載の収納トレイである複数の収納トレイと、
前記複数の収納トレイを、互いに上下に間隔をもって複数段に重ねた状態で支持する支持具と、を備え、
前記支持具は、
前記鍵形の突起部を係止する開口部を複数段に有する支持板と、
前記支持板を立てて支える支持台と、を有する収納器具。
【請求項１１】
前記支持板は、前記開口部の各々の下方に、突出部を有する請求項１０に記載の収納器具。
【請求項１２】
前記支持具は、前記支持板と前記支持台とが着脱可能であり、
前記突出部は前記支持板の一方主面にのみ形成されている請求項１１に記載の収納器具。
【請求項１３】
各々が請求項６又は７の一方に記載の収納トレイである複数の収納トレイと、
前記複数の収納トレイを、互いに上下に間隔をもって複数段に重ねた状態で支持する支持具と、を備え、
前記複数の収納トレイの各々が有する前記突起部は、下方に向かうように鍵形に屈曲しており、
前記支持具は、
支持板と、
前記支持板を立てて支える支持台と、を有し、
前記支持板は、前記鍵形の突起部を係止する溝が上面に形成された突出部を、複数段に有している収納器具。
【請求項１４】
各々が請求項４又は５の一方に記載の収納トレイである複数の収納トレイと、
前記複数の収納トレイを、互いに上下に間隔をもって複数段に重ねた状態で支持する支持具と、を備え、
前記支持具は、下段の収納トレイの前記仕切りの上面に跨るように切れ込みを下面に有し、上段の収納トレイの前記仕切りの底面に進入するように突起を上面に有する複数のスペーサを有する収納器具。
【請求項１５】
複数の収納トレイと、
前記複数の収納トレイを、互いに上下に間隔をもって複数段に重ねた状態で支持する支持具と、を備え、
前記複数の収納トレイの各々は、
底部と、
前記底部の左右端及び後端につながり、外方に広がるように傾斜した側壁と、を有し、
前記底部は、左右方向に並ぶ３以上の収納空間を形成するように断面逆Ｖ字状に屈曲した２以上の仕切りを有しており、
前記支持具は、下段の収納トレイの前記仕切りの上面に跨るように切れ込みを下面に有し、上段の収納トレイの前記仕切りの底面に進入するように突起を上面に有する複数のスペーサを有する収納器具。
【請求項１６】
各々が請求項７に記載の収納トレイである複数の収納トレイと、
前記複数の収納トレイを、互いに上下に間隔をもって複数段に重ねた状態で支持する支持具と、を備え、
前記複数の収納トレイの各々が有する左右の前記突起部は、下方に向かうように鍵形に屈曲しており、
前記支持具は、前記複数段に重ねられた収納トレイの左右に配置される一対の支持板を有し、
前記一対の支持板は、前記複数段に重ねられた収納トレイの左右の前記鍵形の突起部を係止する溝を複数段に有するとともに、前記複数段に重ねられた収納トレイの左右の前記側壁の傾斜面に当接する突出部を複数段に有する収納器具。
【請求項１７】
複数の収納トレイと、
前記複数の収納トレイを、互いに上下に間隔をもって複数段に重ねた状態で支持する支持具と、を備え、
前記複数の収納トレイの各々は、
底部と、
前記底部の左右端及び後端につながり、外方に広がるように傾斜した側壁と、を有し、
左右の前記側壁は、外方に突出し下方に向かうように鍵形に屈曲する突起部を有しており、
前記支持具は、前記複数段に重ねられた収納トレイの左右に配置される一対の支持板を有し、
前記一対の支持板は、前記複数段に重ねられた収納トレイの左右の前記鍵形の突起部を係止する溝を複数段に有するとともに、前記複数段に重ねられた収納トレイの左右の前記側壁の傾斜面に当接する突出部を複数段に有する収納器具。
【請求項１８】
前記一対の支持板の各々の前記溝の一対の側壁が、溝の長手方向に沿って交互に形成されており、前記溝の側壁に対向する他方側は開放されている請求項１６又は１７に記載の収納器具。
【請求項１９】
前記複数の収納トレイの各々が有する前記底部が、前端付近において前方に至るほど上昇する傾斜面を有し、当該傾斜面の前方において、前方に至るほど下降する別の傾斜面を有する請求項１５、１７及び１８のいずれかに記載の収納トレイ。
【考案の詳細な説明】
【技術分野】
【０００１】
本考案は、種類の豊富な製品等の収納に好適な収納トレイに関し、さらにこの収納トレイを段重ねして用いるための補助具を付加した収納器具に関する。
【背景技術】
【０００２】
この種のトレイとして、例えば実開昭６３−１３４９０６号公報に開示される商品収納トレイが知られている。このトレイは、収納商品に対応した径と幅とを有する波形凹凸を底部に有するトレイ本体と、この底部の波形凹凸と噛合し得る凹凸を設けた蓋板との組合せよりなるものである。このトレイは、本体の底部及び蓋板がそれぞれ波形状に構成されているので、トレイの開口部を下方に傾斜することにより、収納商品を開口部に向かって底部と蓋板との波形に沿って１個ずつ移動させることが可能であり、それによって、商品を開口部より１個ずつ取り出すことを可能にするものとなっている。
【特許文献１】実開昭６３−１３４９０６号公報
【考案の開示】
【考案が解決しようとする課題】
【０００３】
しかしながら、このトレイでは、複数種類の商品を収納し、それらのうちの任意のものを個別に取り出すことはできない。また、同一のトレイを複数段に重ねて、それらのうちの任意の１つから、商品を取り出すことも容易ではない。さらに、搬送時などの不使用時に、複数の同一のトレイをコンパクトに積み上げることが容易ではなく、不使用時に嵩（かさ）高いものとなる。
【０００４】
本考案は上記の問題点に鑑みてなされたもので、収納物の出し入れが可能な状態で複数段に重ねて使用することができ、かつ搬送時などの不使用時には、コンパクトに積み上げることのできる収納トレイを提供することを目的とし、さらに当該収納トレイに、複数段に重ねて用いるための補助具を付加した収納器具を提供することを目的とする。
【課題を解決するための手段】
【０００５】
上記課題を解決し上記目的を達成するために、本考案のうち第１の態様に係るものは、収納トレイであって、底部と、前記底部の左右端及び後端につながり、外方に広がるように傾斜した側壁と、を備えている。そして左右の前記側壁の上端の複数の前後位置、並びに底部の下面の複数の前後位置に、略左端から略右端に延びる棒を受け入れ可能な溝が形成されている。さらに当該溝は、自身と同一に構成される別の収納トレイの前記下面の前記複数の前後位置のうちの２以上の位置の溝と、自身の前記上端の前記複数の前後位置のうちの２以上の位置の溝と、の間に２以上の棒を介することにより、前記別の収納トレイを自身の上方に重ねることを可能にする位置に形成されているものである。
【０００６】
この構成によれば、上端の複数の前後位置のいずれか２以上の位置の溝内に、２以上の棒を置き、同一に構成される別の収納トレイの前記底部の下面の複数の前後位置のうちの２以上の位置の溝を、前記２以上の棒の上に載せることにより、複数の同一の収納トレイを、２以上の棒を介して互いに上下に間隔をもって複数段に重ねて使用することができる。しかも、前方が開いているため、収納物の出し入れが可能な状態で、重ねて使用することができる。また、左右及び後方の側壁が外方に広がるように傾斜しているため、搬送時などの不使用時には、前記２以上の棒を取り除いて、これら複数の収納トレイを互いにコンパクトに積み上げることができる。
【０００７】
本考案のうち第２の態様に係るものは、第１の態様に係る収納トレイであって、前記２以上の棒を介して前記別の収納トレイを自身の上方に重ねるときに、これら収納トレイ同士の前後の位置関係を２通り以上に選択し得るように、前記複数の前後位置の溝は、前記上端と前記底部の下面との少なくとも一方において、４以上の前後位置の溝であるものである。
【０００８】
この構成によれば、上端の複数の前後位置のいずれか２以上の位置の溝に、２以上の棒を置き、同一に構成される別の収納トレイの前記底部の下面の複数の前後位置のいずれか２以上の位置の溝を、前記２以上の棒の上に載せることにより、前記別の収納トレイを、複数通りの前後の位置関係をもって積み上げることが可能となる。例えば、溝の位置関係を適切に設定することにより、複数の収納トレイを直上に積み上げることと、上方の収納トレイが後方にずれるように積み上げることとの、いずれをも自在に選択することが可能となる。
【０００９】
本考案のうち第３の態様に係るものは、第１または第２の態様に係る収納トレイであって、前記底部が、前端付近において前方に至るほど上昇する傾斜面を有し、当該傾斜面の前方において、前方に至るほど下降する別の傾斜面を有するものである。
【００１０】
この構成によれば、収納トレイを上下に間隔をもって重ねて使用する際においても、前方が開いているために収納物の出し入れが容易であるという利点を生かしつつ、前端付近の傾斜面により、収納物の落下を有効に防止しつつ収納することができる。さらに別の傾斜面に、収納物を表示するラベルを貼付することにより、利用者は見易い角度に貼付されたラベルを一目して内容物を直ちに認識することが可能となる。
【００１１】
本考案のうち第４の態様に係るものは、第１ないし第３のいずれかの態様に係る収納トレイであって、前記底部が、左右方向に並ぶ３以上の収納空間を形成するように断面逆Ｖ字状に屈曲した２以上の仕切りを有するものである。
【００１２】
この構成によれば、下段の収納トレイの仕切りの上面に跨るように切れ込みを下面に有し、上段の収納トレイの仕切りの下面に進入可能なように突起を上面に有する複数のスペーサを介在させることにより、収納トレイを互いに上下に間隔をもって複数段に重ねて使用することができる。すなわち、ユーザの好みや用途に応じて、棒とスペーサとのいずれかを選択して、複数の収納トレイを重ねて使用することが可能となる。
【００１３】
本考案のうち第５の態様に係るものは、第４の態様に係る収納トレイであって、前記２以上の仕切りの上端が、前記左右の側壁の上端と略同一高さであり、前記左右の側壁に加えて前記２以上の仕切りをも含めた上端の複数の前後位置に、前記略左端から前記略右端に延びる前記棒を受け入れ可能な溝が形成されているものである。
【００１４】
この構成によれば、仕切りの上端にも溝が形成され、棒を挿入することが可能であるので、棒を介して複数の収納トレイを重ねて使用する際に、荷重による棒のたわみを抑えることができる。
【００１５】
本考案のうち第６の態様に係るものは、第１ないし第５のいずれかの態様に係る収納トレイであって、前記後方の側壁が、外方に突出し鍵形に屈曲する突起部を有するものである。
【００１６】
この構成によれば、鍵形の突起部を係止する板を立設した支持具で収納トレイの後部を支持することにより、棒を用いることなく収納トレイを複数段に重ねて使用することも可能となる。
【００１７】
本考案のうち第７の態様に係るものは、第１ないし第６のいずれかの態様に係る収納トレイであって、前記左右の側壁が、外方に突出し鍵形に屈曲する突起部を有するものである。
【００１８】
この構成によれば、鍵形の突起部を係止する板を立設した支持具で収納トレイの左右の何れか好みの側を支持することにより、棒を用いることなく収納トレイを複数段に重ねて使用することも可能となる。
【００１９】
本考案のうち第８の態様に係るものは、収納器具であって、各々が第１ないし第７のいずれかの態様に係る収納トレイである複数の収納トレイと、前記上端と前記底部の下面とに形成された溝の何れにも完全には入り込まない径を有し、前記収納トレイの略左端から略右端に渡る長さを有する２以上の棒と、を備えるものである。
【００２０】
この構成によれば、第１の考案について説明したとおり、２以上の棒を介することにより、収納トレイを複数段に重ねて、かつ前方より収納物の出し入れが可能な状態で、使用することが可能となる。
【００２１】
本考案のうち第９の態様に係るものは、第８の態様に係る収納器具であって、前記２以上の棒の各々が、前記収納トレイの前記底部の左右の幅に略等しい間隔をもって両端部付近に設けられた１対の鍔を有するものである。
【００２２】
この構成によれば、棒の上に載せられた上段の収納トレイの左右の動きを、鍔によって制することができる。
【００２３】
本考案のうち第１０の態様に係るものは、収納器具であって、各々が第６又は第７の一方の態様に係る収納トレイである複数の収納トレイと、前記複数の収納トレイを、互いに上下に間隔をもって複数段に重ねた状態で支持する支持具と、を備えている。そして前記支持具は、前記鍵形の突起部を係止する開口部を複数段に有する支持板と、前記支持板を立てて支える支持台と、を有している。
【００２４】
この構成によれば、各収納トレイの鍵形の突起部を支持板の開口部に係止させることにより、棒を用いることなく、収納トレイを互いに上下に間隔をもって複数段に重ねて使用することが可能となる。ここで「上下に間隔をもって」とは、ある収納トレイの上端とその上段の収納トレイの下面との間に間隔をもつことを必ずしも要するものではない。搬送時などの不使用時のように、上下の収納トレイが、密着ないしそれに近い状態で重なった状態ではなく、内容物を収容可能な程度に、底部同士が上下に間隔をもつように、重なった状態を含めて「上下に間隔をもって」と表現したものである。
【００２５】
本考案のうち第１１の態様に係るものは、第１０の態様に係る収納器具であって、前記支持板が、前記開口部の各々の下方に、突出部を有するものである。
【００２６】
この構成によれば、各収納トレイの側壁が外方に広がるように傾斜しているにも拘わらず、支持板が突出部を有することにより、各収納トレイを、係止される側とは反対側が垂れるように傾斜することなく、あるいは傾斜を和らげて、支持することが可能となる。
【００２７】
本考案のうち第１２の態様に係るものは、第１１の態様に係る収納器具であって、前記支持具は、前記支持板と前記支持台とが着脱可能であり、前記突出部は、前記支持板の一方主面にのみ形成されているものである。
【００２８】
この構成によれば、支持板の表裏を自在に選択して支持台に取り付けることができ、それにより、各収納トレイの側壁に、支持板の突出部を当接させることも、させないことも可能となる。すなわち、収納トレイを支持具に支持させることにより複数段に重ねて使用する際に、当該複数段の収納トレイの傾きを、２通りに選択することが可能となる。
【００２９】
本考案のうち第１３の態様に係るものは、収納器具であって、各々が第６又は第７の一方の態様に係る収納トレイである複数の収納トレイと、前記複数の収納トレイを、互いに上下に間隔をもって複数段に重ねた状態で支持する支持具と、を備えている。そして前記複数の収納トレイの各々が有する前記突起部は、下方に向かうように鍵形に屈曲している。さらに前記支持具は、支持板と、前記支持板を立てて支える支持台と、を有している。また前記支持板は、前記鍵形の突起部を係止する溝が上面に形成された突出部を、複数段に有している。
【００３０】
この構成によれば、各収納トレイの鍵形の突起部を、支持板の突出部の上面に形成された溝に係止させることにより、棒を用いることなく、収納トレイを複数段に重ねて使用することが可能となる。
【００３１】
本考案のうち第１４の態様に係るものは、収納器具であって、各々が第４又は第５の一方の態様に係る収納トレイである複数の収納トレイと、前記複数の収納トレイを、互いに上下に間隔をもって複数段に重ねた状態で支持する支持具と、を備えている。そして、前記支持具は、下段の収納トレイの前記仕切りの上面に跨るように切れ込みを下面に有し、上段の収納トレイの前記仕切りの底面に進入するように突起を上面に有する複数のスペーサを有している。
【００３２】
この構成によれば、複数のスペーサを介在させることにより、収納トレイを互いに上下に間隔をもって複数段に重ねて使用することができる。すなわち、ユーザの好みや用途に応じて、棒とスペーサとのいずれかを選択して、複数の収納トレイを重ねて使用することが可能となる。
【００３３】
本考案のうち第１５の態様に係るものは、収納器具であって、複数の収納トレイと、前記複数の収納トレイを、互いに上下に間隔をもって複数段に重ねた状態で支持する支持具と、を備えている。そして、前記複数の収納トレイの各々は、底部と、前記底部の左右端及び後端につながり、外方に広がるように傾斜した側壁と、を有している。また、前記底部は、左右方向に並ぶ３以上の収納空間を形成するように断面逆Ｖ字状に屈曲した２以上の仕切りを有している。さらに前記支持具は、下段の収納トレイの前記仕切りの上面に跨るように切れ込みを下面に有し、上段の収納トレイの前記仕切りの底面に進入するように突起を上面に有する複数のスペーサを有している。
【００３４】
この構成によれば、複数のスペーサを介在させることにより、収納トレイを互いに上下に間隔をもって複数段に重ねて使用することができる。また収納トレイは、左右及び後方の側壁が外方に広がるように傾斜しているため、搬送時などの不使用時には、スペーサを取り除いて、複数の収納トレイを互いにコンパクトに積み上げることができる。
【００３５】
本考案のうち第１６の態様に係るものは、収納器具であって、各々が第７の態様に係る収納トレイである複数の収納トレイと、前記複数の収納トレイを、互いに上下に間隔をもって複数段に重ねた状態で支持する支持具と、を備えている。そして前記複数の収納トレイの各々が有する左右の前記突起部は、下方に向かうように鍵形に屈曲している。さらに前記支持具は、前記複数段に重ねられた収納トレイの左右に配置される一対の支持板を有している。また、前記一対の支持板は、前記複数段に重ねられた収納トレイの左右の前記鍵形の突起部を係止する溝を複数段に有するとともに、前記複数段に重ねられた収納トレイの左右の前記側壁の傾斜面に当接する突出部を複数段に有している。
【００３６】
この構成によれば、各収納トレイの左右の鍵形の突起部を、一対の支持板に形成された溝に係止させることにより、棒を用いることなく、収納トレイを複数段に重ねて使用することが可能となる。特に、一対の支持板が有する突出部が、複数段に重ねられた収納トレイの左右の側壁に当接するので、一対の支持板は重ねられた収納トレイを通じてのみ、互いに結合されていながら、支持板が傾斜したり倒れたりすることを防止することができる。
【００３７】
本考案のうち第１７の態様に係るものは、収納器具であって、複数の収納トレイと、前記複数の収納トレイを、互いに上下に間隔をもって複数段に重ねた状態で支持する支持具と、を備えている。そして前記複数の収納トレイの各々は、底部と、前記底部の左右端及び後端につながり、外方に広がるように傾斜した側壁と、を有している。また、左右の前記側壁は、外方に突出し下方に向かうように鍵形に屈曲する突起部を有している。さらに前記支持具は、前記複数段に重ねられた収納トレイの左右に配置される一対の支持板を有している。また、前記一対の支持板は、前記複数段に重ねられた収納トレイの左右の前記鍵形の突起部を係止する溝を複数段に有するとともに、前記複数段に重ねられた収納トレイの左右の前記側壁の傾斜面に当接する突出部を複数段に有している。
【００３８】
この構成によれば、各収納トレイの左右の鍵形の突起部を、一対の支持板に形成された溝に係止させることにより、収納トレイを複数段に重ねて使用することが可能となる。特に、一対の支持板が有する突出部が、複数段に重ねられた収納トレイの左右の側壁に当接するので、一対の支持板は重ねられた収納トレイを通じてのみ、互いに結合されていながら、支持板が傾斜したり倒れたりすることを防止することができる。また収納トレイは、左右及び後方の側壁が外方に広がるように傾斜しているため、搬送時などの不使用時には、支持具から取り外して、複数の収納トレイを互いにコンパクトに積み上げることができる。
【００３９】
本考案のうち第１８の態様に係るものは、第１６又は第１７の態様に係る収納器具であって、前記一対の支持板の各々の前記溝の一対の側壁が、溝の長手方向に沿って交互に形成されており、前記溝の側壁に対向する他方側は開放されている。
【００４０】
この構成によれば、一対の支持板の各々の溝の一対の側壁が、溝の長手方向に沿って交互に形成され、溝の側壁に対向する他方側は開放されているので、一対の金型を用いた樹脂等の成形により、溝を有する一つの支持板を形成することが容易となる。
【００４１】
本考案のうち第１９の態様に係るものは、第１５、１７及び１８のいずれかの態様に係る収納器具であって、前記複数の収納トレイの各々が有する前記底部が、前端付近において前方に至るほど上昇する傾斜面を有し、当該傾斜面の前方において、前方に至るほど下降する別の傾斜面を有するものである。
【００４２】
この構成によれば、収納トレイを上下に間隔をもって重ねて使用しながらも、前方が開いているために収納物の出し入れが容易であるという利点を生かしつつ、前端付近の傾斜面により、収納物の落下を有効に防止しつつ収納することができる。さらに別の傾斜面に、収納物を表示するラベルを貼付することにより、利用者は見易い角度に貼付されたラベルを一目して内容物を直ちに認識することが可能となる。
【考案の効果】
【００４３】
以上のように本考案によれば、収納物の出し入れが可能な状態で複数段に重ねて使用することができ、かつ搬送時などの不使用時には、コンパクトに積み上げることが可能となる。
【考案を実施するための最良の形態】
【００４４】
（実施の形態１）
図１は、本考案の実施の形態１による収納トレイの構成を示す斜視図である。また、図２は同収納トレイの構成を示す平面図である。この収納トレイ１０１は、底部１、左方側壁２、右方側壁３、及び後方側壁４を有している。すなわち、収納トレイ１０１は、上面が開放しており、かつ前方が収納物を出し入れ可能なように開いた収納トレイである。側壁２，３，４は、それぞれ底部１の左端、右端、及び後端につながり、外方に広がるように傾斜している。側壁２，３，４の間も又、互いにつながっている。
【００４５】
底部１は、後方側壁４から前方に延びる２列の仕切り５を有している。これら２列の仕切り５は、収納トレイ１０１の収納空間を、左右方向に並び各々が前後に長い３つの収納空間に分割している。図２のＡ−Ａ切断線に沿った収納トレイ１０１の断面図である図３、及びＢ−Ｂ切断線に沿った収納トレイ１０１の断面図である図４に示すように、仕切り５は、底部１が断面逆Ｖ字状に屈曲することにより形成されている。仕切り５の上端は、一例として側壁２，３，４の上端と同じ高さにある。また図２のＣ−Ｃ切断線に沿った収納トレイ１０１の断面図である図５に明瞭に示すように、底部１は、前端付近において、前方に至るほど上昇する傾斜面６とそれに続いて下降する傾斜面７とを成すように、逆Ｖ字状に屈曲している。
【００４６】
以上のように構成される収納トレイ１０１は、例えば同一形状で複数種類のチューブ容器入り製品（例えば、色の異なる染料）を１本ずつ、別個の収納空間に寝かせて収納するのに好適である。また、前方が開いているために、前方から収納物を出し入れすることも可能である。さらに、底部１が前端付近に傾斜面６を有するので、前方からの収納物の出し入れが容易であるという利点を生かしつつ、収納物の落下を有効に防止しつつ収納することが可能となる。また、底部１が斜面６の前方に傾斜面７を有するので、この傾斜面７に、収納物を表示するラベルを貼付することができる。それにより、利用者は見易い角度に貼付されたラベルを一目して、内容物を直ちに認識することが可能となる。例えば、収納物が染料の入ったチューブである場合には、染料の色を示すラベルを貼付することにより、利用者は目的とする染料の入ったチューブを、適切な収納空間に出し入れすることが可能となる。
【００４７】
図１及び図２に戻って、側壁２，３，４及び仕切り５のそれぞれの上端の前後２箇所に、溝８が形成されている。溝８は、仕切り５には全幅の一方から他方にわたる貫通溝として形成され、左右の側壁２、３には、一例として非貫通溝として形成されている。また、溝８は、前後２列の直線上に並ぶように形成されている。
【００４８】
底部１の下面の前後複数箇所にも、溝９が形成されている。前述の図５に示すように、溝９は、２列の溝８の各々の直下の位置から前方のある範囲にわたって、一例として５列の直線状に形成されている。
【００４９】
再び図１及び図２に戻って、後方側壁４は、外方に突出し鍵形に屈曲する突起部１０を有している。突起部１０は、一例として、後方側壁４の左右端の２箇所から突出し、下方に屈曲している。以上のように構成される収納トレイ１０１は、例えばプラスチックを一体成形することにより形成可能である。
【００５０】
前述の図３及び図４に例示するように、同一の複数の収納トレイ１０１は、互いに山谷が噛み合う形態で、１つの上に別の１つを積み上げることができる。これは、仕切り５が底部１を逆Ｖ字状に屈曲させることにより形成されるとともに、左右及び後方の側壁２，３，４が外方に広がるように傾斜していることによって、可能となるものである。これにより搬送時など、収納トレイ１０１の不使用時には、これら複数の収納トレイ１０１を互いに噛み合うようにコンパクトに積み上げることができる。すなわち、不使用時の容量を縮減して、搬送あるいは保存を容易なものとすることができる。
【００５１】
図６は、重ねて使用されている２個の収納トレイ１０１を示す断面図であり、各収納トレイ１０１については、図２のＤ−Ｄ切断線に沿った断面を示している。図６に示すように、下段の収納トレイ１０１の溝８内に２本の丸棒２１が置かれる。そして、これら２本の丸棒２１がいずれかの溝９内に納まるように、上段の収納トレイ１０１が２本の丸棒２１の上に置かれる。２段の収納トレイ１０１の間に介在する丸棒２１は、収納トレイ１０１の左端から右端までの幅よりも僅かに短く作られている。また、丸棒２１の径は、溝８及び溝９のいずれにも丸棒２１が完全には入り込まない大きさに選ばれる。上段の収納トレイ１０１の左右の動きを制し得るように、丸棒２１の両端付近には他の部分よりも径の大きい鍔（つば）２２が設けられている。１対の鍔２２同士の間隔は、収納トレイ１０１の底部１の左右の幅に略等しく設定される。丸棒は、一例として金属製である。図６の例では、上段の収納トレイ１０１には、溝８の直下に位置する溝９（図５参照）に丸棒２１が納まっており、それにより、上下２段に重ねられた収納トレイ１０１は、左右の位置だけでなく、前後の位置も互いに同一となっている。すなわち上段の収納トレイ１０１は、位置ずれすることなく、下段の収納トレイ１０１の直上に重ねられている。
【００５２】
図７は、図６と同様に重ねて使用されている２個の収納トレイ１０１を示す断面図であり、各収納トレイ１０１については、図２のＣ−Ｃ切断線に沿った断面を示している。図７に示すように、上段の収納トレイ１０１は、底部１の下面に並んだ溝９のうち、溝８の直下よりも前方に位置するものに丸棒２１が納まるように置かれる。それにより、上段の収納トレイ１０１は、下段の収納トレイ１０１よりも後方に位置ずれした状態で、下段の収納トレイ１０１の上に重ねられる。
【００５３】
図６及び図７に示したように、収納トレイ１０１は、丸棒２１を介することにより、底部同士が上下に間隔を有するように、互いに重ねた状態で使用に供することができる。収納トレイ１０１の前方は開放されているので、重ねた状態であっても、収納物の出し入れが妨げられない。また同じ要領により、３個以上の収納トレイ１０１を重ねて使用することも可能である。特に、図７に例示したように、上段の収納トレイ１０１を下段の収納トレイ１０１よりも後方に位置ずれするように重ねることにより、下段の収納トレイ１０１の前方の開口を広く確保することができ、それにより収納物の出し入れを、より容易なものとすることができる。
【００５４】
なお、複数の収納トレイ１０１と、それらの間に介在すべき必要数の丸棒２１とは、本考案の収納器具の一例に該当する。複数の収納トレイ１０１を重ねる以前の収納トレイ１０１と丸棒２１との組合せであっても、収納器具に該当する。
【００５５】
図８は、収納トレイ１０１を支持する支持具を例示する斜視図である。この支持具３０は、支持台３１、１対の支柱３２、連結具３３、及び支持板３４を有している。支持台３１の後部両端には、１対の支柱３２の下端部が、一例としてねじ止めにより着脱可能に締結され、それにより１対の支柱３２が支持台３１に立設される。１対の支柱３２の対向面にはスリット状の溝が支柱の軸に沿って形成されており、これら一対の溝に支持板３４が挿入される。支持板３４には、左右に延びる開口部３５が複数段に形成されている。各開口部３５の下方には、同じく左右に延びる突出部３６が形成されている。１対の支柱３２の上端は、連結具３３の左右端部に、一例としてねじ止めにより着脱可能に締結される。このようにして、支持具３０が分解組立可能に形作られる。支持台３１、支柱３２、連結具３３及び支持板３４は、例えばプラスチックあるいは金属により形成可能である。なお、支持具３０は、支持台３１を水平面の上に置くことにより支持板３４を直立させて使用することも、１対の支柱３２を水平面の上に置くことにより支持板３４を水平に保持して使用することも可能である。
【００５６】
図９は、支持具３０の支持板３４に支持された複数の収納トレイ１０１を示す側面図である。図９は、支持板３４については断面構造を示している。図９に示すように、支持板３４に形成された開口部３５に各収納トレイ１０１の突起部１０を挿入し、突起部１０の鍵状屈曲部を開口部３５の縁部に係止させることにより、丸棒２１を用いることなく、各収納トレイ１０１を複数段に重ねた状態で支持板３４に支持させることができる。支持板３４の前方主面には、各開口部３５の下方に突出部３６が設けられているので、この突起部３６に収納トレイ１０１の後方側壁４が当接する。それにより、各収納トレイ１０１の底部１が略水平に保たれる。図９に例示するように、収納トレイ１０１は、底面同士の間だけでなく、下段の上端と上段の下面との間にも、互いに間隔を置いて重ねることも可能である。それにより、ユーザは収納物を目視することが容易となり、各収納トレイ１０１の前方から収納物を出し入れすることも容易となる。
【００５７】
図１０は、図９と同じく、支持具３０の支持板３４に支持された複数の収納トレイ１０１を示す側面図であり、支持板３４については断面構造を示している。図１０の例では、支持板３４が裏返して使用されている。すなわち、突出部３６が後方を向くように、支持板３４が支柱３２（図８）に取り付けられている。このため、各収納トレイ１０１の後方側壁４が支持板３４の主面に当接するので、各収納トレイ１０１の底部１は、水平よりは前方がやや下方に傾斜する。それにより、各収納トレイ１０１の収納物がさらに目視し易くなる。また、底部１の前端付近には傾斜面６（図５）が形成されているので、収納物が前方からずり落ちることはない。
【００５８】
図１１は、図１０と同じく、支持具３０の支持板３４に支持された複数の収納トレイ１０１を示す側面図であり、支持板３４については断面構造を示している。図１１の例では、支持板３４が水平になるように、支持具３０の１対の支柱３２（図８）が水平面の上に置かれる。突起部１０が開口部３５に挿入され、突起部１０の鍵状屈曲部が開口部３５の縁部に係止されることにより、各収納トレイ１０１はやや後方に傾斜して起立する。突起部１０が開口部３５から外れないように、例えばゴム製のような弾性に富むスペーサ３９が開口部３５に挿入される。各収納トレイ１０１はやや後方に傾斜するため、収納物が収納トレイ１０１からずれ落ちることを防止することができる。また、スペーサ３９を開口部３５の一部のみならず、開口部３５の左右の幅全体にわたって挿入することにより、スペーサ３９の頭部により、収納物を係止することができ、それにより収納物が前方にずれ落ちることを防止することも可能となる。
【００５９】
なお、複数の収納トレイ１０１と、支持具３０とは、本考案の収納器具の別の一例に該当する。複数の収納トレイ１０１が支持具３０に取り付けられる以前の収納トレイ１０１と支持具３０との組合せであっても、収納器具に該当する。
【００６０】
（実施の形態２）
図１２は、本考案の実施の形態２による収納トレイの構成を示す斜視図である。この収納トレイ１０２は、次の２点を除いて、実施の形態１による収納トレイ１０１（図１）と同一に構成されている。第１に、側壁２，３，４及び仕切り５のそれぞれの上端の前後２箇所に設けられた溝８が、仕切り５のみならず左右の側壁２、３にも、貫通溝として形成されている。第２に、後方側壁４が有する突起部１２は、左右端のみならず、左右全幅にわたって形成されている。収納トレイ１０２も、収納トレイ１０１と同様に、例えばプラスチックを一体成形することにより形成可能である。
【００６１】
溝８が左右の側壁２、３にも、貫通溝として形成されているために、段重ねされる複数の収納トレイ１０１の間に介在すべき丸棒２５として、収納トレイ１０１の左右の幅よりも幾分長いものを使用することができる。溝８内に置かれたときに丸棒２５が左右方向に位置ずれしないように、鍔２６は、左右の側壁２、３に当接ないし近接するように形成される。すなわち鍔２６は、丸棒２１の鍔２２（図６）に比して、両端方向に長く延びるように形成される。重ねられた収納トレイ１０１に収納された収納物の重量等により、荷重を受けることにより、収納トレイ１０１の左右方向の側壁２，３が、外側に開くことがあっても、幾分長目の丸棒２５は溝８から外れる恐れがない。丸棒２５は、一例として金属製である。
【００６２】
また収納トレイ１０２では、突起部１２が、左右全幅にわたって形成されているので、図９〜図１１に例示したように収納トレイ１０１を支持板３４に取り付けたときに、収納物等のより大きな荷重に対しても、突起部１２が変形あるいは破損し難い。すなわち、収納トレイ１０１の耐久性が向上する。
【００６３】
複数の収納トレイ１０２を重ねて使用するのに、丸棒２５に代えて、スペーサ４０を用いることも可能である。スペーサ４０は、下段の収納トレイ１０２の逆Ｖ字状に突起する仕切り５の上面に跨るように逆Ｖ字状の切れ込みを下面に有し、上段の収納トレイ１０２の仕切り５の逆Ｖ字状に後退する底面に進入可能な逆Ｖ字状の突起を上面に有している。スペーサ４０は、好ましくは、収納トレイ１０１との摩擦が大きく、適度な弾性を有するプラスチックで形成される。また、スペーサ４０は、例えばプラスチックを一体成形することにより形成可能である。
【００６４】
図１３は、重ねて使用されている２個の収納トレイ１０２を示す断面図であり、各収納トレイ１０２については、図２を収納トレイ１０２の平面図と見立てたときのＤ−Ｄ切断線に沿った断面を示している。図１３に示すように、下段の収納トレイ１０２の各仕切り５の上に、スペーサ４０が嵌め込まれ、その上に、上段の収納トレイ１０２の各仕切り５が嵌め込まれる。スペーサ４０は、好ましくは適度の弾性を有することにより、上下段の収納トレイ１０２の仕切り５とスペーサ４０との間の密着性を高めることができる。このように、スペーサ４０を用いることによっても、収納トレイ１０２を複数段に重ねて使用することが可能である。スペーサ４０を用いることにより、収納トレイ１０２同士の前後の位置関係を、自在に選択することもできる。さらに、スペーサ４０の高さを様々に設定することにより、重ねられる収納トレイ１０２同士の間隔を、様々に設定することも可能となる。なお、言うまでもなく、スペーサ４０は収納トレイ１０１（図１）を重ねるために使用することも可能である。
【００６５】
複数の収納トレイ１０２と、必要数の丸棒２５及び／又は必要数のスペーサ４０との組合せは、本考案の収納器具の別の一例に該当する。あるいは、これらに支持具３０を付加したものも、本考案の収納器具の別の一例に該当する。
【００６６】
（実施の形態３）
図１４は、本考案の実施の形態３による収納トレイの構成を示す側面図であり、図１０と同様に、特に支持板３４に取り付けられた状態を示しており、支持板３４については、断面構造を示している。この収納トレイ１０３は、後方側壁４が有する突起部１４の先端部が上方に向かって鍵型に屈曲している点で、収納トレイ１０１（図１）及び収納トレイ１０２（図１２）とは異なっている。突起部１４は、収納トレイ１０３の左右端にのみ形成されていても良く、左右全幅にわたって形成されていても良い。
【００６７】
収納トレイ１０３を支持板３４に取り付けるときには、挿入すべき開口部３５を中心として、収納トレイ１０３を上方から下方へ回転させることにより（図１４の二点鎖線参照）、突起部１４を開口部３５に入れ込むと良い。取り外すときには、その逆の操作を行えば良い。取付けは下段の収納トレイ１０１から順に行い、取り外しは上段の収納トレイ１０１から順に行うことができる。収納トレイ１０３を用いると、支持板３４を水平にして使用する場合においても、スペーサ３９（図１１）を要しない。
【００６８】
（実施の形態４）
図１５は、図８の支持具３０の支持板３４に代えて、別の支持板に取り付けられた収納トレイ１０２を示す側面図であり、支持板については断面構造を示している。この支持板５４は、開口部３５（図８）が設けられる代わりに、係止用突出部５５が設けられている。係止用突出部５５は、収納トレイ１０２の突起部１２を係止する溝５６を上面に有するとともに、収納トレイ１０２の後方側壁４に当接する当接面を前面に有する。当接面の角度を様々に設定することにより、収納トレイ１０２の底部１の水平からの傾きを様々に設定することができる。この支持板５４も、支持板３４と同様に、一例としてプラスチックあるいは金属製である。
【００６９】
（実施の形態５）
図１６は、本考案の実施の形態５による収納トレイの構成を示す斜視図である。この収納トレイ１０４は、後方側壁４の突起部１２（図１２）に代えて、左右側壁２，３が突起部１６を有している点において、実施の形態２による収納トレイ１０２（図１２）とは異なっている。突起部１６は、一例として、左右側壁２，３上部の前後全幅にわたって外方に突出し、かつ下方に鍵型に屈曲している。以上のように構成される収納トレイ１０１は、例えばプラスチックを一体成形することにより形成可能である。収納トレイ１０４も、収納トレイ１０１〜１０３と同様に、例えばプラスチックを一体成形することにより形成可能である。
【００７０】
収納トレイ１０４は、突起部１６を有しているので、突起部１０、１２を各々有する収納トレイ１０１、１０２と同様に、支持具３０を用いることにより、図８〜図１０又は図１５に例示した要領で、複数に段重ねして使用することが可能である。このとき、収納トレイ１０１、１０２とは異なり、左右の側壁２，３の一方の突起部１６により、収納トレイ１０４が支持具３０の支持板３４（図８〜図１０）又は５４（図１５）に支持される。
【００７１】
図１７は、収納トレイ１０４と、当該収納トレイ１０４を支持するのに適した別の支持具とを有する収納具について、その組立後の形態を例示する斜視図である。図１７の例で使用されている支持具６０は、一対の支持板６１，６２を有している。これら一対の支持板６１，６２は、互いに対称に形成されており、段重ねされる複数の収納トレイ１０４の左右に配置して用いられる。
【００７２】
図１８は収納トレイ１０４の左側に配置される支持板６１の斜視図である。また図１９は、同右側に配置される支持板６２の斜視図である。さらに図２０は、支持板６１、６２を有する支持具６０と、収納トレイ１０４とを有する収納具について、その組立後の形態を示す断面図である。支持板６１，６２は、使用時に直立する平板部６５と、その内側面すなわち収納トレイ１０４に向き合う面から突出する突出部６６とを、主要部として有している。突出部６６は、上下複数段に設けられている。突出部６６は、収納トレイ１０４の左右の側壁２，３（図１６）に当接するように形成されている。図１８の例では、突出部６６は側壁２，３の上端から下端まで当接するように形成されているが、一部のみ、例えば上端と下端にのみ当接するように形成することも可能である。
【００７３】
突出部６６の上端には、側壁２，３が有する鍵形の突起部１６を係止する溝６７が、前後にわたって形成されている。溝６７は、突出部６６の上面、平板部６５の内側面、突出部６６の内側面側の上面から突起する係止用突起部６８によって形成されている。突起部１６の鍵型に屈曲した部分が、溝６７に摺動可能に係合する。このように、収納トレイ１０４は、突起部１６が溝６７に係止され、かつ傾斜した左右の側壁２，３が突出部６６に当接するので、一対の支持板６１，６２は、重ねられた収納トレイ１０４を通じてのみ互いに結合されていながら、傾斜したり倒れたりせず、直立状態を保持することができる。
【００７４】
溝６７の後端部には、突出部６６の上面から突出するストッパ７０が形成されている。ストッパ７０は、鍵形の突起部１６の後端部に当接することにより、収納トレイ１０４を所定の位置に位置決めする役割を果たす。図１８及び図１９の例では、溝６７の前端部にはストッパ７０は設けられていない。それにより、各収納トレイ１０４は、引き出しのように、スライドさせて前方へ出し入れすることが可能となっている。
【００７５】
平板部６５の頭部７１及び脚部７３は、幅広となっている。これは、支持具６０を上下に重ねることにより、多数の収納トレイ１０４を支持することを可能にするためである。１つの支持具６０の頭部７１の上に、他の支持具６０の脚部７３が重なる。それらが互いにずれないように、頭部７１には突起部７２が設けられ、対応する脚部７３の位置には後退部７４が設けられている。１つの支持具６０の突起部７２が、その上の支持具６０の後退部７４に噛み合う。
【００７６】
平板部６５には突起６８に対向する部位に、開口部６９が形成されている。すなわち、溝６７の一対の側壁に該当する部材６５，６８が、溝６７の長手方向に沿って交互に形成されており、溝６７の側壁に該当する部材６５，６８の他方側は開放されている。このため、上下一対の金型を用いたプラスチックの一体成形により、支持板６１，６２を形成することが容易である。図１８の例では突起部６６の内側面、すなわち収納トレイ１０４に対向する面には窪みが設けられており、それにより、プラスチックなどの材料の使用量が節減されるとともに、製品の重量が軽減される。
【００７７】
（その他の実施の形態）
（Ａ）  図８には、支持具３０の支持板３４に形成された開口部３５は、収納トレイ１０１等の左右の幅に略相当する幅に形成された。これに対し、収納トレイ１０１のように、突起部１０が一部にのみ形成された収納トレイを支持するためには、開口部３５は突起部１０に対応する部位にのみ形成されておれば足りる。支持板３４に形成される突出部３６についても、収納トレイ１０１等の後方側壁４の全幅のうち、一部にのみ当接するように形成することが可能である。
【００７８】
（Ｂ）  収納トレイ１０１，１０２等を重ねて使用するために丸棒２１、２５が用いられる例を示したが（図６、図１２）、丸棒２１、２５に代えて、他の形状を有する棒、例えば角棒を用いることも可能である。溝８、９についても、断面が円弧以外の形状、例えばＶ字状であってもよい。また、丸棒２５（図１２）の両端に平坦な鍔をさらに設け、収納トレイ１０２の左右の側壁２、３の両側をこれらの鍔で挟むようにしても良い。それにより、収納物の荷重等により側壁２，３が外側に開くことにより丸棒２５が、溝８から抜け落ちることを防止することができる。さらに、側壁２，３が外側に開くこと自体を制することも可能となる。この場合、内側の１対の鍔２６は、丸棒２１（図６）の鍔２２と同様、上段の収納トレイ１０２の左右の動きを制し得るものであればよく、短いもので足りる。また、丸棒２５の両端に鍔を設ける代わりに、例えば、丸棒２５の両端を直角にかつ同一方向に折り曲げることによっても、同様の目的を達成し得る。
【００７９】
（Ｃ）  スペーサ４０（図１２）として、仕切り５の前後に渡って長く形成されたものを例示した。これに対し、短いものを仕切り５の前後に複数箇所に分けて配置するものであっても良い。また、複数の短いものが、例えば棒状のもので連結されたものであっても良い。また、スペーサ４０は、上面、下面が逆Ｖ字状でなくてもよく、一般に、下段の収納トレイ１０１等の仕切り５の上面に跨るように切れ込みを下面に有し、上段の収納トレイ１０１等の仕切り５の底面に進入するように突起を上面に有するものであっても良い。いずれの形態であっても、本考案のスペーサに該当する。
【００８０】
（Ｄ）  収納トレイ１０１、１０２の後方の側壁４が有する突起部１０，１２、及び後部側壁１０４の左右側壁２，３が有する突起部１６は、直角に屈曲する屈曲部を有していた。しかし突起部１０，１２，１６が有する鍵型の屈曲部は、直角に屈曲した形態に限られない。例えば、図２１に突起部１６と支持板６１、６２との係合部分について、別の形態を例示するように、突起部１６等が有する屈曲部は、斜めＶ字状に屈曲したものであっても良い。図２１の例では、平板部８２の内側側面（すなわち収納トレイ１０４に対向する面）に形成された溝７７は、突起部１６が有する屈曲部に整合するように、斜めＶ字状をなし、突起部７８は突起部１６の首部に整合するように逆Ｖ字状をなしている。
【００８１】
（Ｅ）  図１８〜図２１には、溝６７，７７に係合した突起部１６の上方には、ある幅の空隙が設けられていた。しかし図１８〜図２０に例示したように、収納トレイ１０４を溝６７，７７に沿って摺動させることにより、支持具６０に取り付け、取り外しすることが可能な形態では、突起部１６の上方の空隙は、必ずしも要しない。例えば、図２２に例示するように、当該空隙なくすことも可能である。それにより、収納トレイ１０４を前後に出し入れするときに、収納トレイ１０４が傾斜したり、上下にがたつくことを防ぐことができる。
【００８２】
（Ｆ）  図１８には溝６７の後端部にストッパ７０が設けられた例を示したが、ストッパ７０を設けない形態を実施することも可能である。それにより、支持板６１，６２が互いに同一形状となるので、金型制作に要するコストを節減することができる。また、溝６７の前後双方にストッパ７０を形成することも可能である。この場合にも、支持板６１，６２が、互いに同一形状となるので、金型制作に要するコストを節減することができる。この場合には、収納トレイ１０４を溝６７に沿って摺動させることにより、支持具６０に取り付け、取り外しする代わりに、溝６７の上方から突起部１６を出し入れすることとなる。図２０及び図２１に例示するように、突起６８、７８の上方にある程度広い空隙を設けることにより、屈曲部を有する突起部１６を上方から溝６７，７７に出し入れすることが可能となる。
【００８３】
（Ｇ）  図８〜図１１、図１３〜図１５、及び図２０等に例示したように、収納トレイ１０１〜１０４を重ねて使用する際には、収納トレイ１０１〜１０４には、対象物を収納する必要から、互いに密着することなく、底部同士が上下に間隔をもつように重ねられる。当該間隔が、対象物の収納を妨げない範囲で、様々に設定可能であることは言うまでもない。
【００８４】
（Ｈ）  図２０の例において、図１３に例示したように、収納トレイ１０４同士の間にスペーサ４０を介挿しても良い。それにより、最上段を除いた各収納トレイ１０４の収納室を、スペーサ４０によって隔てることができ、収納物が混じり合うことを、より適切に防止することができる。
【図面の簡単な説明】
【００８５】
【図１】本考案の実施の形態１による収納トレイの構成を示す斜視図である。
【図２】図１の収納トレイの構成を示す平面図である。
【図３】図２のＡ−Ａ切断線に沿った図１の収納トレイの断面図である。
【図４】図２のＢ−Ｂ切断線に沿った図１の収納トレイの断面図である。
【図５】図２のＣ−Ｃ切断線に沿った図１の収納トレイの断面図である。
【図６】重ねて使用されている２個の図１の収納トレイを示す断面図であり、各収納トレイについては、図２のＤ−Ｄ切断線に沿った断面を示している。
【図７】重ねて使用されている２個の図１の収納トレイを示す断面図であり、各収納トレイについては、図２のＣ−Ｃ切断線に沿った断面を示している。
【図８】図１の収納トレイを支持する支持具を例示する斜視図である。
【図９】図８の支持具の支持板に支持された複数の収納トレイを示す側面図である。
【図１０】図８の支持具の支持板に支持された複数の収納トレイを示す側面図である。
【図１１】図８の支持具の支持板に支持された複数の収納トレイを示す側面図である。
【図１２】本考案の実施の形態２による収納トレイの構成を示す斜視図である。
【図１３】重ねて使用されている２個の図１２の収納トレイを示す断面図である。
【図１４】本考案の実施の形態３による収納トレイの構成を示す側面図である。
【図１５】図８の支持具の支持板に代えて、別の支持板に取り付けられた図１２の収納トレイを示す側面図である。
【図１６】本考案の実施の形態５による収納トレイの構成を示す斜視図である。
【図１７】図１６の収納トレイを支持する収納具を例示する斜視図である。
【図１８】図１６の収納トレイの左側に配置される支持板の斜視図である。
【図１９】図１６の収納トレイの右側に配置される支持板の斜視図である。
【図２０】図１６の収納トレイを図１７の収納具に収納した様子を示す断面図である。
【図２１】図１６の収納トレイの突起部と図１７の収納具との係合部分について、別の形態を例示する断面図である。
【図２２】図１６の収納トレイの突起部と図１７の収納具との係合部分について、さらに別の形態を例示する断面図である。
【符号の説明】
【００８６】
１  底部
２  左方側壁（側壁）
３  右方側壁（側壁）
４  後方側壁（側壁）
５  仕切り
６、７  傾斜面
８、９  溝
１０、１２、１４、１６  突起部
２１、２５  丸棒（棒）
２２、２６  鍔
３０、６０  支持具
３４、５４  支持板
３５  開口部
３６  突出部
４０  スペーサ
５５  係止用突出部（突出部）
５６、６７、７７  溝
６１、６２  支持板
１０１、１０２、１０３、１０４  収納トレイ
【図１】
0003150224.tif 000003
【図２】
0003150224.tif 000004
【図３】
0003150224.tif 000005
【図４】
0003150224.tif 000006
【図５】
0003150224.tif 000007
【図６】
0003150224.tif 000008
【図７】
0003150224.tif 000009
【図８】
0003150224.tif 000010
【図９】
0003150224.tif 000011
【図１０】
0003150224.tif 000012
【図１１】
0003150224.tif 000013
【図１２】
0003150224.tif 000014
【図１３】
0003150224.tif 000015
【図１４】
0003150224.tif 000016
【図１５】
0003150224.tif 000017
【図１６】
0003150224.tif 000018
【図１７】
0003150224.tif 000019
【図１８】
0003150224.tif 000020
【図１９】
0003150224.tif 000021
【図２０】
0003150224.tif 000022
【図２１】
0003150224.tif 000023
【図２２】
0003150224.tif 000024
【手続補正書】
【提出日】平成21年3月6日(2009.3.6)
【手続補正１】
【補正対象書類名】実用新案登録請求の範囲
【補正対象項目名】請求項１９
【補正方法】変更
【補正の内容】
【請求項１９】
前記複数の収納トレイの各々が有する前記底部が、前端付近において前方に至るほど上昇する傾斜面を有し、当該傾斜面の前方において、前方に至るほど下降する別の傾斜面を有する請求項１５、１７及び１８のいずれかに記載の収納器具。